(57)【要約】  【課題】  ガラス破りを想定して、防犯性が高いクレセント装置を提供すること。  【解決手段】  クレセント装置１は、ハンドル付きクレセントとしての中央ハンドル２と、ハンドル無しクレセントとしての上クレセント３及び下クレセント４と、前記中央ハンドル２と前記上下クレセント３、４間にそれぞれ連結されていると共に、前記中央ハンドル２の鎌２１の回転動作と前記上下クレセント３、４の各鎌３１、４１の回転動作を連動させる上下の連動部５、６と、これらの上下連動部５、６の動作を規制する規制手段として、前記上下クレセント３，４にそれぞれ開閉スイッチ７、８を設けている。  この実施形態によるクレセント装置１では、前記上下クレセント３、４の開閉スイッチ７、８がオンされている場合には、前記上下の連動部５、６がロックされるので、前記中央ハンドル２のハンドル２０の操作が妨げられる。【選択図】        図１
2005105569.tif 000002
【特許請求の範囲】
【請求項１】
本体カバーと、この本体カバーの表面に沿って回転する鎌と、この鎌を固定する回転軸と、この回転軸に固定された歯車と、この歯車に噛み合うラックギアを備え、且つ、前記本体カバー内でスライドするスライド板と、このスライド板に固定され、且つ、前記本体カバーの裏面から突出するスライド軸と、前記回転軸の回転を規制する規制手段を備えたことを特徴とするハンドル無しクレセント。
【請求項２】
前記鎌は、その回転方向に向かう両端部に、それぞれテーパ面が形成されていることを特徴とする請求項１に記載のハンドル無しクレセント。
【請求項３】
請求項１に記載の前記ハンドル無しクレセントと、ハンドル付きクレセントと、前記各クレセントの各鎌の回転動作を連動させる連動部と、前記連動部の動作を規制する規制手段からなることを特徴とするクレセント装置。
【請求項４】
請求項１に記載の前記ハンドル無しクレセントと、ハンドルと、前記ハンドルの回転動作と前記クレセントの鎌の回転動作を連動させる連動部と、前記連動部の動作を規制する規制手段からなることを特徴とするクレセント装置。
【発明の詳細な説明】
【技術分野】
【０００１】
この発明は、開口部のガラス障子等を施錠するクレセント及びクレセント装置に関する。
【背景技術】
【０００２】
現在、空き巣、居直り強盗等、社会不安を引き起こす犯罪の発生件数が高水準で推移している。
空き巣の家屋侵入の手口の典型例は、「ガラス破り」とよばれるもので、窓ガラスを割って、クレセント等を開錠して侵入する事例である。段上への足場があれば、２階等のベランダからも室内に侵入してくるケースもある。
家屋の侵入に対する防犯対策として、警備システム等のソフト面の強化策とハード面の強化策があり、そのハード面の強化策として、ガラスを複数面にしたり、ガラス間に合成樹脂等を挟込む構成などが新聞紙上等で発表されている。
また、ハード面の強化策として、施錠装置の開発が必要になっており、種々の施錠装置が開発されている(例えば、特許文献１。)。
【０００３】
【特許文献１】特開２００２−３０９８３２号公報(図１)
【発明の開示】
【発明が解決しようとする課題】
【０００４】
しかし、従来の施錠装置には、今日のようなガラス破りを想定したような施錠装置が開発されていないのが実情である。
【０００５】
そこで、本発明は、上記課題を解決するためになされたもので、防犯性が高いクレセント装置を提供することを目的とする。
【課題を解決するための手段】
【０００６】
上記した課題を解決するために、本体カバーと、この本体カバーの表面に沿って回転する鎌と、この鎌を固定する回転軸と、この回転軸に固定された歯車と、この歯車に噛み合うラックギアを備え、且つ、前記本体カバー内でスライドするスライド板と、このスライド板に固定され、且つ、前記本体カバーの裏面から突出するスライド軸と、前記回転軸の回転を規制する規制手段を備えたことを特徴とするハンドル無しクレセントとした(請求項１の発明)。
このクレセントは、クレセント受けに係合される鎌を回転させるハンドルが付いておらず、前記鎌の回転は、前記スライド軸から、スライド板、ラックギア、歯車及び回転軸を介して伝達される力による。
よって、ガラス破りを行った不審者がその手で前記鎌自体を回すことは困難であって、防犯性が高いクレセントとなっている。
【０００７】
前記鎌は、その回転方向に向かう両端部に、それぞれテーパ面が形成されていることを特徴とするハンドル無しクレセントとした(請求項２の発明)。
一般的には、クレセントの鎌には、施錠の方向にのみテーパ面が設けられ、鎌の先端をクレセント受けに係合させ易くしている。
一方、本発明のクレセントは、その両端部にそれぞれテーパ面が形成されていることで、クレセントの鎌の施錠方向が時計方向又は反時計方向であっても、クレセント受けに係合させ易くしている。
【０００８】
上記課題を解決するため、上記ハンドル無しクレセントと、ハンドル付きクレセントと、前記各クレセントの各鎌の回転動作を連動させる連動部と、前記連動部の動作を規制する規制手段からなることを特徴とするクレセント装置とした（請求項３の発明）。
この発明によれば、前記規制手段により、各クレセントの各鎌の回転動作を連動させる連動部が規制されるので、前記ハンドル付きクレセントのハンドルを回すことができず、従って、ハンドル無しクレセントの鎌も回転せず、防犯性が高いクレセント装置となっている。
【０００９】
また、上記ハンドル無しクレセントと、ハンドルと、前記ハンドルの回転動作と前記クレセントの鎌の回転動作を連動させる連動部と、前記連動部の動作を規制する規制手段からなることを特徴とするクレセント装置（請求項４の発明）。
この発明によれば、前記規制手段により、前記ハンドル無しクレセントの鎌の回転動作を連動させる連動部が規制されるので、前記ハンドルを回すことができず、従って、ハンドル無しクレセントの鎌も回転せず、防犯性が高いクレセント装置となっている。
【発明の効果】
【００１０】
本発明によれば、前記鎌を回転させるハンドルが付いておらず、前記鎌の回転は、前記回転軸に取付けられた歯車に伝達される力によるので、ガラス破りを行った不審者がその手で前記鎌自体を回すことは困難であって、防犯性が高いクレセントとなっている。
また、前記規制手段により、クレセントの鎌の回転動作を連動させる連動部を規制できるので、前記ハンドルを回すことができず、従って、前記クレセントの鎌も回転することができないので、防犯性が高いクレセント装置となっている。
【発明を実施するための最良の形態】
【００１１】
以下、図示の実施形態を参照しながら本発明を詳細に説明する。
図１は実施形態に係るクレセント装置を取付けた開口部の室内側正面図、図２(Ａ)、(Ｂ)は同クレセント装置を構成する中央ハンドルの側断面図、同ハンドルの裏板の一部を切欠いた背面図、図３は同クレセント装置を構成する上クレセントの斜視図、図４(Ａ)〜(Ｄ)は同クレセントの平面図、側面図、背面図及び断面図、図５は同クレセントの分解斜視図である。
これらの各図及び後述の各図において、同一の構成は同一の符号を付して、詳細な説明は省略する。
【００１２】
前記クレセント装置１は、図１に示したように、ハンドル付きクレセントとしての中央ハンドル２と、ハンドル無しクレセントとしての上クレセント３及び下クレセント４と、前記中央ハンドル２と前記上下クレセント３、４間にそれぞれ連結されている共に、前記中央ハンドル２の鎌２１の回転動作と前記上下クレセント３、４の各鎌３１、４１の回転動作を連動させる上下の連動部５、６と、これらの上下連動部５、６の動作を規制する規制手段として、前記上下クレセント３，４にそれぞれ開閉スイッチ７、８を設けている。
この実施形態によるクレセント装置１では、前記上下クレセント３、４の開閉スイッチ７、８がオンされている場合には、前記上下の連動部５、６がロックされるので、前記中央ハンドル２のハンドル２０の操作が妨げられる。
よって、例えば「ガラス破り」等で、不審者が前記中央ハンドル２に手を伸ばしても、中央ハンドル２のハンドル２０を動かすことができず、防犯上の効果を奏することができる。
【００１３】
前記中央ハンドル２はグレモン錠と称されるもので、図２(Ａ)、(Ｂ)に示したように、ハンドル２０と鎌２１が固着され、前記ハンドル２０の回転力がカム軸２２を回転させ、このカム軸２２の回転力が駆動アーム２３の一端に伝達され、この駆動アーム２３の他端に固着されている上下アームピン２４、２５をそれぞれ上下方向にスライドさせると共に、前記駆動アーム２３の変位を規制することで前記ハンドル２０をロックする規制手段としてのストッパー２６を備えている。
なお、図２(Ａ)、(Ｂ)では、前記中央ハンドル２は前記クレセント装置１を閉状態（施錠状態）にする場合を図示している。
【００１４】
前記上クレセント３と下クレセント４は、略同一に構成されているので、上クレセント３を下クレセント４に代表させて説明する。
図３〜図５に示したように、上クレセント３は、本体カバー３０と、この本体カバー３０の表面３００に沿って回転可能に取付けられた鎌３１と、一端の円柱部が前記鎌３１を固着し、他端が前記本体カバー３０の内側に収容された回転軸３２と、この回転軸３２に固定されたロックプレート３３と、前記ロックプレート３３と一体化され、且つ、前記回転軸３２の先端部に固定された歯車３４と、この歯車３４と歯合するラックギア３５０を備えたスライド板３５と、前記本体カバー３０の裏面をカバーする押板３６と、前記ロックプレート３３の回転を規制することで、前記鎌３１の回転をロックする開閉スイッチ７としてのストッパー３７を備えている。
なお、図３〜図５の上クレセント３は、閉状態（施錠状態）を図示している。
【００１５】
前記本体カバー３０は、略直方体状に形成され、その表面３００には、前記回転軸３２を取付ける孔３０１が設けられ、また、この本体カバー３０を引違障子に固定した後に付ける化粧カバー３０２、３０２が取付けられている。
なお、前記表面３００と対向する裏面は開口されている。
【００１６】
前記鎌３１は、その回転方向（時計方向Ｘ、反時計方向Ｘ´）に向かう両端部３１０、３１０´に、それぞれテーパ面３１１、３１１´が形成されている。
両端部３１０、３１０´に、それぞれテーパ面３１１、３１１´を形成した理由は、前記上クレセント３を前記中央ハンドル２の下側にも配置できるようにし、下クレセントと共用させるためである。
即ち、閉状態（施錠状態）の上クレセント３を解錠するには、前記鎌３１を時計方向Ｘに回転させる必要があり、施錠するには、前記鎌３１を反時計方向Ｘ´に回転させる必要がある。
一方、下クレセント４の場合は、解錠の場合は反時計方向に、施錠の場合は時計方向に回転させる必要があり、回転方向が逆になる(図８参照)。
この場合、前記鎌３１の一方の端部３１０´のみテーパ面３１１´が形成されているとすると、前記上クレセント３と下クレセント４を共用できなくなり、コスト増となり、組み立てが煩雑となる。これを避けるため、両端部３１０、３１０´に、それぞれテーパ面３１１、３１１´を形成している。
【００１７】
前記回転軸３２は、前記鎌３１を固定する円柱状の頭部３２０と、前記本体カバー３０の孔３０１から、その内部に収容される軸足３２１を備えている。
【００１８】
前記ロックプレート３３は、略円盤状に形成され、その円周を切欠いて凹部３３０が形成されている。そして前記ストッパー３７の動作に連動するクリックプレート３７１(図５参照)が、前記凹部３３０に没入されることで、前記回転軸３２の回転が規制され、前記鎌３１の回転をロックするようになっている。
【００１９】
前記歯車３４は、回転軸３２の軸足３２１先端部に固定されており、前記本体カバー３０の内部に収容されている。
【００２０】
前記スライド板３５は、前記歯車３４と歯合するラックギア３５０と、その裏面に前記スライド軸３５２を備えた板部３５３からなる。
このように構成されたスライド板３５は、前記歯車３４とラックギア３５０が歯合しながら、前記本体カバー３０の内部を上下方向Ｙ(図５参照)にスライドできるように配置されている。
なお、前記ラックギア３５０の板部３５３に対する取付位置を入換えたり、また、スライド板３５の天地を入換えることで、歯車３４の回転方向に対応するスライド方向を逆方向に換えることができる。よって、前記鎌３１の構成と共に、上クレセント３と下クレセント４を全体的に共用にすることができる。
【００２１】
前記押板３６は、前記本体カバー３０の裏面の開口を塞ぐもので、その長孔３６０から、前記スライド軸３５２が突出し、その先端が前記上連動部５の上部に係合されている。
なお、押板３６の前記本体カバー３０の裏面に対する取付けは、ネジ止めでもよいし、カシメでもよい。
【００２２】
前記ストッパー３７は、本体カバー３０の側面をスライドする摘み３７０と、この摘み３７０と連動し、かつ、前記本体カバー３０の内側面をスライドするクリックプレート３７１を備え、このクリックプレート３７１が前記ロックプレート３３の凹部３３０に出没するようになっている。
前記ストッパー３７は、そのオンの際に前記上連動部５の上下方向のスライド力を規制することから、前記中央ハンドル２との連動を規制する規制手段となっている。
【００２３】
以上のように構成された前記上クレセント３では、前記鎌３１を回転させるハンドルは取付けられていないので、このクレセント３を開状態にするには、鎌３１自体を手等で回転させる必要があり、容易に開状態にすることができないようになっている。
一方、前記鎌３１に対しては、前記上連動部５の上下方向のスライド力が、前記スライド軸３５２、スライド板３５に伝達され、そのスライド板３５のラックギア３５０と歯車３４により回転力に変換され、その回転力が前記回転軸３２を介して前記鎌３１に伝達される。
【００２４】
なお、下クレセント４は、上クレセント３と略同一に構成され、上クレセント３と共用することができるので、詳細な説明は省略する。
【００２５】
前記上連動部５は、図６に示したように、上クレセント３の前記スライド軸３５２が係合される上係合部５０と、前記中央ハンドル２の上アームピン２４のスライド力によりスライドする上スライド部５１と、この上スライド部５１及び前記上係合部５０を連結する上連結部５２からなる。
一方、前記下連動部６は、図６に示したように、前記下クレセント４のスライド軸４５２が係合される下係合部６０と、前記中央ハンドル２の下アームピン２５のスライド力によりスライドする下スライド部６１と、この下スライド部６１及び前記下係合部６０を連結する下連結部６２からなる。
下係合部６０と上係合部５０、下スライド部６１と上スライド部５１及び下連結部６２と上連結部５２は、それぞれ略同一に構成されているので、上係合部５０、上スライド部５１及び上連結部５２を、下係合部６０、下スライド部６１及び下連結部６２に代表させて説明する。
【００２６】
前記下係合部６０は、その詳細を図示した図７(Ａ)、(Ｂ)のように、前記下連結部６２の端部に固着される固着部６００と、前記スライド軸４５２が係合される係合孔６０１が形成された厚板部６０２と、開口部Ｏ(図１参照)の下枠Ｏ１への落込み連結棒(図示せず)を固着する固着部６０３を備えている。
なお、下係合部６０の構成は、上記構成に限定されるものではなく、例えば、厚板部６０２に代えて、係合孔６０１が形成される部分を固着部６００や固着部６０３と略同一の厚さに構成してもよい。
【００２７】
前記下連結部６２は、断面形状が略Ｈ字状に形成されたもので、その下側内面に前記固着部６００を挿入して固定できるようになっている。
【００２８】
前記下スライド部６１は、図６に示したように、前記中央ハンドル２の下アームピン２５が嵌め込まれる孔等を備えた先端部６１０と、前記下連結部６２に固着される固着部６１１を備えている。
【００２９】
以上のように構成された前記中央ハンドル２、上下クレセント３，４及び上下連動部５、６の取付け構造を図８(Ａ)(Ｂ)に基いて説明する。なお、図８(Ａ)(Ｂ)は、前記クレセント装置１が開状態の側断面図及び平面図である。
前記中央ハンドル２は、前記開口部Ｏに配置された障子等のガラス内障子９Ａの縦框９０(図１参照)の略中央に固着され、その上下アームピン２４、２５が、縦框９０に形成された長孔(図示せず)を介して、縦框中空部９００に臨まされる。
前記上下アームピン２４、２５は前記縦框中空部９００にスライド自在に配置された上下スライド部５１、６１の各先端部５１０、６１０の孔(図示せず)に収容される。
【００３０】
前記上下クレセント３，４は、前記中央ハンドル２を挟んで、前記縦框９０の上下に固着され、それらのスライド軸３５２、４５２が、縦框９０に形成された孔(図示せず)を介して、前記縦框中空部９００に臨まされ、その中空部９００をスライド自在の上下係合部５０、６０の係合孔５０１、６０１に取付けられている。
そして、これら上下係合部５０、６０及び上下スライド部５１、６１を連結する上下の連結部５２，６２も前記中空部９００をスライド自在に配置されている。
なお、図示は省略しているが、上記中央ハンドル２のクレセント受け、上下クレセント３，４の各クレセント受けは、中央ハンドル２の鎌２１、上下クレセント３，４の各鎌３１，４１に対応する位置の前記ガラス外障子９Ｂ(図１参照)縦框に固着されている。
【００３１】
次に以上のように構成されたクレセント装置１の作用効果を図８及び図９に基いて説明する。なお、図９(Ａ)(Ｂ)は、前記クレセント装置が閉状態の側断面図及び平面図である。
図８(Ａ)(Ｂ)に示した開状態では、前記中央ハンドル２の上下アームピン２４、２５は、最も近づいた位置にある。
この状態から前記中央ハンドル２のハンドル２０を図面の紙面の奥方向へと、時計方向に回転させると、前記上下アームピン２４、２５が徐除に離間するようにスライドし、そのスライド力が、前記上下のスライド部５１、６１、上下の連結部５２，６２、上下の係合部５０、６０に伝達される。
その結果、上下係合部５０、６０の各係合孔５０１、６０１に係合されている各スライド軸３５２、４５２が前記上下クレセント３，４の各スライド板３５、４５をスライドさせ、前記鎌３１、４１を図示しないクレセント受けに係合させる。
よって、前記中央ハンドル２のハンドル２０の閉動作により、同時に前記上下クレセント３，４が施錠される。
【００３２】
施錠後に前記上下クレセント３，４のストッパー３７、４７をオンすると、前記歯車３４、４４の回転が規制される。
この状態で、前記中央ハンドル２の前記ストッパー２６をオフにして、ハンドル２０を図９の図面上、奥方向の反時計方向に回転しようとしても、前記上下クレセント３，４の歯車３４、４４がストッパー３７、４７によりロックされているので、前記ハンドル２０の力は、前記上下スライド部５１、６１、上下連結部５２，６２、上下の係合部５０、６０に伝達されず、前記ハンドル２０の回転操作が不能になる。
【００３３】
なお、居住者が、前記内外ガラス障子９Ａ、９Ｂを開けるには、中央ハンドル２、上下クレセント３、４の各ストッパー２６、３７、４７をオフにし、前記中央ハンドル２のハンドル２０を操作すればよい。
【００３４】
よって、不審者が前記中央ハンドル２の近辺のガラスを破っても、前記ハンドル２０の回転操作が不能であって、前記内外ガラス障子９Ａ、９Ｂを開けることができないので、防犯上、有効である。
また、前記上クレセント３のストッパー３７をオフにしても、下クレセント４のストッパー４７又は／及び中央ハンドル２のストッパー２６がオンであれば、上記と同様に、前記上クレセント３の鎌３１を回すことができない。
また、前記下クレセント４のストッパー４７オフにしても、上クレセント３のストッパー３７又は／及び中央ハンドルのストッパー２６がオンであるときも同様である。
【００３５】
上記実施形態では、前記中央ハンドル２、前記上下クレセント３、４をガラス内障子の縦框に固定しているが、前記開口部Ｏの障子等の配置位置に対応させ、高所のガラス障子には、前記中央ハンドル２と、前記上クレセント３と、前記中央ハンドル２及び前記上クレセント３の動作を連動させる上連動部５と、上連動部５を規制するストッパー２６、３７でもよい。
また、低所のガラス障子には前記中央ハンドル２と、前記下クレセント４と、前記中央ハンドル２及び前記上クレセント３の動作を連動させる下連動部６と、下連動部６を規制するストッパー２６、４７でもよい。
それぞれガラス障子の設置環境に応じ、上記実施形態と略同様な作用効果を奏する。
また、前記上下係合部５０、６０の固着部５０３、６０３に、開口部Ｏの上下枠Ｏ１、Ｏ２への落込み連結棒(図示せず)を固着させてもよい。
前記開口部Ｏに対する内外ガラス障子９Ａ、９Ｂの取付けをより強固なものにすることができる。
また、前記中央ハンドル２、前記上下クレセント３、４をガラス内障子９Ａの縦框に固定する位置は、前記開口部Ｏの設置環境におうじて、最下位に前記中央ハンドル２を固定したり、最上位に前記中央ハンドル２を固定してもよい。
また、前記中央ハンドル２のストッパー２６を省略したとしても、上記実施形態と略同一の作用効果を奏する。
また、前記中央ハンドル２の鎌２１を省略し、ハンドルとしてもよく、この場合でも、上記実施形態と略同一の作用効果を奏する。
また、前記上下クレセント３、４の各回転軸にそれぞれハンドルを固定してもよい。そのハンドルの操作によっても、他のクレセント、中央ハンドルが連動するので、居住者の使い勝手が向上する。
また、上記実施形態では、上係合部５０と上連結部５２、下係合部６０と下連結部６２は、それぞれ別体であったが、上係合部５０と上連結部５２を一体化させたり、下係合部６０と下連結部６２を一体化させてもよい。
【図面の簡単な説明】
【００３６】
【図１】実施形態に係るクレセント装置を取付けた開口部の室内側正面図、
【図２】（Ａ）（Ｂ）  同クレセント装置の中央ハンドルの側断面図、一部を切欠いた背面図、
【図３】同ハンドル無しクレセントの斜視図、
【図４】（Ａ）（Ｂ）(Ｃ)(Ｄ)  同クレセントの正面図、側面図、裏面図、断面図、
【図５】同クレセントの分解斜視図、
【図６】クレセント装置の配置図、
【図７】（Ａ）（Ｂ）  同クレセント装置を構成する下係合部の側面図、平面図
【図８】（Ａ）（Ｂ）  同クレセント装置の動作説明図、
【図９】（Ａ）（Ｂ）  同クレセント装置の動作説明図である。
【符号の説明】
【００３７】
１  クレセント装置
２  中央ハンドル                      ２０  ハンドル
２１  鎌                              ２２  カム軸
２３  駆動アーム                      ２４  上アームピン
２５  下アームピン                    ２６  ストッパー
３  上クレセント
３０  本体カバー                      ３１  鎌
３０１  孔
３２  回転軸                          ３２０  頭部
３２１  軸足
３３  ロックプレート                  ３３０  凹部
３４  歯車                            ３５  スライド板
３５０  ラックギア                    ３５１  ガイド
３５２  スライド軸                    ３５３  板部
３６  押板                            ３６０  長孔
３７  ストッパー                      ３７０  摘み
３７１  クリックプレート
４  下クレセント
４７  ストッパー
５  上連動部
５１  上スライド部                    ５２  上連結部
５０  上係合部
６  下連動部
６０  下係合部                        ６１  下スライド部
６２  下連結部                        ６００  固着部
７  ８  開閉スイッチ
９Ａ  ガラス内障子                    ９Ｂ  ガラス外障子
９０  縦框
９００  縦框中空部
Ｏ  開口部
Ｏ１  下枠  Ｏ２  上枠
【図１】
2005105569.tif 000003
【図２】
2005105569.tif 000004
【図３】
2005105569.tif 000005
【図４】
2005105569.tif 000006
【図５】
2005105569.tif 000007
【図６】
2005105569.tif 000008
【図７】
2005105569.tif 000009
【図８】
2005105569.tif 000010
【図９】
2005105569.tif 000011